(57)【要約】【課題】ユーザの就寝や不在の場合には、クイックスタートモードからパワーセーブモードに切り替え、ユーザが部屋や家屋にいる場合はパワーセーブモードからクイックスタートモードに切り替えることができるテレビジョン用電源制御装置を提供する。【解決手段】主制御部１９は、各部の制御を行なっているが、パワーセーブモードの時は主電源２７からの電力は切られる。副制御部２０は副電源２８から常時電力供給を受けていて動作を停止することはない。副制御部２０は、主電源２７の電源供給先を制御して、電源のＯＮ／ＯＦＦを制御する。特に、電源ＯＦＦ時には、クイックスタートモードとパワーセーブモードを切り替える制御も行なう。電力量検出装置２９で家屋全体あるいは部屋の消費電力を検出して、それに基づき人の在不在を判断して、モード切換えを行なう。【選択図】図１
2008187319.tif 000002
【特許請求の範囲】
【請求項１】
家屋全体あるいは室内で使用する電力量を検出する電力量検出手段と、
検出された電力量の増減を求め、電力量の増加分が第１基準量以上である場合には、クイックスタートモードとし、電力量の減少分が第２基準量以下である場合には、パワーセーブモードとする制御手段とを備えたことを特徴とするテレビジョン用電源制御装置。
【請求項２】
検出電力量の検出時間をカウントするタイマーをさらに備え、
前記制御手段は、電力量の増減を始める時の値と電力量の増減を始めて所定時間安定した時点で値との増減量を求め、これの増減量に基づいてクイックスタートモードとパワーセーブモードとを切り換えることを特徴とする請求項１に記載のテレビジョン用電源制御装置。
【請求項３】
室内の音を検出する音検出手段と、
検出された音量の増減を求め、音量の増加分が第３基準量以上である場合には、クイックスタートモードとし、音量の減少分が第４基準量以下である場合には、パワーセーブモードとする制御手段とを備えたことを特徴とするテレビジョン用電源制御装置。
【請求項４】
検出音量の検出時間をカウントするカウンタをさらに備え、
前記制御手段は、音量の増減を始める時の値と音量の増減を始めて所定時間安定した時点で値との増減量を求め、これの増減量に基づいてクイックスタートモードとパワーセーブモードとを切り換える制御手段とを備えたことを特徴とする請求項３に記載のテレビジョン用電源制御装置。
【発明の詳細な説明】
【技術分野】
【０００１】
本発明は、電源ＯＦＦ時に起動を早くできるようにメイン回路には電力を供給する待機モード機能を有するテレビジョン用電源制御装置に関し、特にパワーセーブモードとクイックスタートモードを自動的に切り替えることのできるテレビジョン用電源制御装置に関する。
【背景技術】
【０００２】
テレビジョン受信機は、待機モード機能があって、たとえばリモコンの副電源キーを押して電源をＯＦＦにすると、表示部分への電力供給をＯＦＦにし、メインＣＰＵや主要な回路への電力供給を続けている状態となる。この状態であると、リモコンの副電源キーをＯＮにすると、表示部分に電力を供給開始し、他の部分はすでに起動している状態なので、立ち上がり動作が速くなる。これをクイックスタートモードと呼んでいる。しかし、実際には使用していない回路に電力供給を行なっているため、無駄な電力を消費していることになる。
【０００３】
一方、パワーセーブモードは、主電源のＯＮを受信する回路部のみを動作状態にして他の回路への電力供給を切ったモードである。主電源がＯＮされた場合には、メインＣＰＵを起動して起動プログラムを展開し、周辺デバイスを初期化し、各レジスタ設定を行なってから映像表示工程へと進む。そのため、起動時間が長くなってしまうが、無駄な電力を消費しないという利点もある。
【０００４】
そこで、特許文献１では、ユーザがクイックスタートモードにしたまま、就寝したり外出したりした場合に、自動的に主電源をＯＦＦにするパワーセーブモードに切り替える発明が開示されている。この場合は、クイックスタートモードにした場合の待機時間を設定しておいて、この待機時間を過ぎて電源がＯＮされなければ、自動的に主電源をＯＦＦにしてパワーセーブモードにする。
【特許文献１】特開２０００−２４４８４４号公報
【発明の開示】
【発明が解決しようとする課題】
【０００５】
しかしながら、特許文献１の発明では、待機時間が過ぎるまでは、ユーザがいなくてもクイックスタートモードを維持してしまい、電力を無駄に消費してしまう。また、逆にユーザがいても待機時間までに電源をＯＮにする操作を行なわなければ、主電源をＯＦＦにされてしまう問題もある。
【０００６】
本発明は、斯かる実情に鑑み、ユーザの就寝や不在の場合には、クイックスタートモードからパワーセーブモードに切り替え、ユーザが部屋や家屋にいる場合はパワーセーブモードからクイックスタートモードに切り替えることができるテレビジョン用電源制御装置を提供しようとするものである。
【課題を解決するための手段】
【０００７】
本発明は、家屋全体あるいは室内で使用する電力量を検出する電力量検出手段と、検出された電力量の増減を求め、電力量の増加分が第１基準量以上である場合には、クイックスタートモードとし、電力量の減少分が第２基準量以下である場合には、パワーセーブモードとする制御手段とを備えたことを特徴とするテレビジョン用電源制御装置である。
【０００８】
また、検出電力量の検出時間をカウントするタイマーをさらに備え、前記制御手段は、電力量の増減を始める時の値と電力量の増減を始めて所定時間安定した時点で値との増減量を求め、これの増減量に基づいてクイックスタートモードとパワーセーブモードとを切り換えることを特徴とする。
【０００９】
また、本発明は、室内の音を検出する音検出手段と、検出された音量の増減を求め、音量の増加分が第１基準量以上である場合には、クイックスタートモードとし、音量の減少分が第２基準量以下である場合には、パワーセーブモードとする制御手段とを備えたことを特徴とするテレビジョン用電源制御装置である。
【００１０】
また、検出音量の検出時間をカウントするカウンタをさらに備え、前記制御手段は、音量の増減を始める時の値と音量の増減を始めて所定時間安定した時点で値との増減量を求め、これの増減量に基づいてクイックスタートモードとパワーセーブモードとを切り換えることを特徴とする。
【発明の効果】
【００１１】
本発明によれば、部屋あるいは家屋全体の消費電力や音量に基づいて、パワーセーブモードとクイックスタートモードを切り替えるので、人がいなくなれば自動的にパワーセーブモードにして消費電力を抑え、人がいればクイックスタートモードにして電源ＯＮ時のスタート時間を短縮して操作性を向上させることができる。
【発明を実施するための最良の形態】
【００１２】
以下、本発明の実施の形態を添付図面を参照して説明する。
【００１３】
＜第１実施形態＞
図１は、第１実施形態におけるテレビジョン用電源制御装置を備えたシステムを示すブロック図である。このテレビジョン用電源制御システムは、テレビジョン受信機１０と、このテレビジョン受信機１０が設置してある部屋あるいは家屋全体の消費電力量を検出する電力量検出装置２９を備える。電力量検出装置２９は、電力線に接続して消費電力を測定する装置であり、テレビジョン受信機の設定されている部屋や家屋全体の消費電力を測定可能な装置である。測定した消費電力量は、有線あるいは無線等でテレビジョン受信機１０に送信する。
【００１４】
テレビジョン受信機１０は、アンテナ１１、選局されたチャンネルの信号を抽出するチューナ１２、信号を復号するデコーダ１３、復号された映像信号を表示できるように処理する映像処理部１４、液晶パネル等からなる表示部１５、復号された音声信号を出力できるように処理する音声処理部１６、スピーカ１７、ＯＦＦすることでパワーセーブモードにする主電源スイッチ１８、主制御部１９、電源ＯＦＦ時のモード制御を行う副制御部２０、タイマー２１、電力量検出装置２９からの測定データを受信する受信部２２、リモコン２３、リモコン２３からの赤外線信号を受光して電気信号に変換する受光部２４、電源２５、から構成される。
【００１５】
リモコン２３には、ＯＦＦにするとクイックスタートモードにする副電源スイッチ２６が備えられている。電源２５は、主要部に電力供給を行なう主電源２７と、主に副制御部２０に電力供給を行なう副電源２８を備える。
【００１６】
次にテレビジョン受信機１０の動作について説明する。
まず、ユーザがリモコン２３にてチャンネル選択を行うと、主制御部１９は、チューナ１２を制御し、アンテナ１１で受信した信号から目的のチャンネルを選局する。得られた信号をデコーダ１３により復号する。復号化された映像信号は、映像処理部１４で処理されて液晶からなる表示部１５に表示される。また、復号化された音声信号は、音声処理部１６で処理されてスピーカ１７から音声として出力される。
【００１７】
主制御部１９は、各部の制御を行なっているが、パワーセーブモードの時は主電源２７からの電力は切られる。副制御部２０は副電源２８から常時電力供給を受けていて動作を停止することはない。副制御部２０は、主電源２７の電源供給先を制御して、電源のＯＮ／ＯＦＦを制御する。特に、電源ＯＦＦ時には、クイックスタートモードとパワーセーブモードを切り替える制御も行なう。
【００１８】
パワーセーブモードの時、副制御部２０は、主電源２７を完全にＯＦＦにして、電力供給を停止させる。クイックスタートモードの時は、副制御部２０は、主電源２７に映像処理部１４、表示部１５への電源供給を停止させ、他の部分には電源を供給し続ける。
【００１９】
主電源スイッチ１８をＯＦＦされると、副制御部２０はパワーセーブモードに移行し、リモコン２３の副電源２８をＯＦＦされると、クイックスタートモードに移行する。さらに、パワーセーブモードやクイックスタートモードであっても、電力量検出装置２９の検出結果に基づいて、部屋、あるいは家屋に人がいるかいないかを判断して、クイックスタートモードやパワーセーブモードに切り替える。
【００２０】
次に、パワーセーブモードとクイックスタートモードを切り替える処理について詳しく説明する。図２は、第１実施形態におけるモード切換処理の一例を示すフローチャートである。
【００２１】
主電源スイッチ１８と副電源スイッチ２６のいずれがＯＦＦになると（ステップＳ１）、副制御部２０は、いずれがＯＦＦになったかを確認する（ステップＳ２）。主電源スイッチ１８がＯＦＦの場合、副制御部２０は、パワーセーブモードに移行する（ステップＳ３）。この場合は、副制御部２０が主電源２７を完全停止し、各部へは電力が供給されない。なお、副制御部２０、受信部２２、受光部２４には副電源２８から電力は供給される。
【００２２】
電力量検出装置２９は、家屋全体あるいはテレビジョン受信機１０の設置部屋の消費電力量を検出しており、その検出量を受信部２２を介して副制御部２０に送っている。
【００２３】
副制御部２０は消費電力量が増加したとき、消費電力量の増加量を算出する（ステップＳ４）。副制御部２０は、算出した増加量が第１基準値以上か否かを確認し（ステップＳ５）、第１基準値以上であれば、副制御部２０は、部屋にユーザが戻ってきたと判断して、クイックスタートモードに切り替える（ステップＳ６）。すなわち、副制御部２０は、主電源２７を制御して、映像処理部１４と表示部１５を除く部分に電力を供給させる。
【００２４】
また、ステップＳ４における消費電力の増加量の判定であるが、消費電力が増加を開始し、その後増加が止まって安定すると、タイマー２１によって安定時間をカウントして所定時間以上（例えば５分）である場合に、増加開始の消費電力量と増加後の安定値との差分を増加値として、第１基準値と比較してもよい。こうして、確実に消費電力の増加量を算出できて、人の存在を特定できる。
【００２５】
一方、ステップＳ２の確認で副電源スイッチ２６が押されていた場合、副制御部２０はクイックスタートモードに移行する（ステップＳ７）。この場合は、副主電源２７が主電源２７を制御して映像処理部１４と表示部１５への電圧供給を停止させ、その他の部分への電圧供給は維持する。
【００２６】
副制御部２０は消費電力量が減少したとき、消費電力量の減少量を算出する（ステップＳ８）。副制御部２０は、算出した減少量が第２基準値以上か否かを確認し（ステップＳ９）、第２基準値以上であれば、部屋あるいは家屋にユーザがいないと判断して、パワーセーブモードに切り替える（ステップＳ１０）。すなわち、副制御部２０は、主電源２７を制御して、電力供給を停止させる。
【００２７】
また、ステップＳ８における消費電力の減少量の判定であるが、消費電力が減少を開始し、その後減少が止まって安定すると、タイマー２１によって安定時間をカウントして所定時間以上（例えば５分）である場合に、減少開始の消費電力量と減少後の安定値との差分を減少値として、第２基準値と比較してもよい。こうして、確実に消費電力の減少量を算出できて、人の不在を特定できる。
【００２８】
こうして、副制御部２０は、家屋あるいは部屋の消費電力が少なくなれば、人がいなくなったと判断して自動的にパワーセーブモードで消費電力を抑え、消費電力が増加すれば、人がいるものと判断して自動的にクイックスタートモードで電源ＯＮ時のスタート時間を短縮して操作性を向上させる。
【００２９】
＜第２実施形態＞
第１実施形態は、消費電力量を検出してモード切換えを判断していたが、第２実施形態おいては、部屋の音を検出してモード切り換えを行うものである。
図３は、第２実施形態におけるテレビジョン用電源制御装置を備えたシステムを示すブロック図である。この図面は、図１と同一部分には同一符合を付し、説明は省略する。第１実施形態と異なる点は、電力量検出装置の代わりに音量検出装置３１を備えたものである。音量検出装置３１は、一般のマイクロフォンでよく、テレビジョン受信機に内蔵するものでもよい。
【００３０】
次に、パワーセーブモードとクイックスタートモードを切り替える処理について詳しく説明する。図４は、第２実施形態におけるモード切換処理の一例を示すフローチャートである。
【００３１】
主電源スイッチ１８と副電源スイッチ２６のいずれがＯＦＦになると（ステップＳ１１）、副制御部２０は、いずれがＯＦＦになったかを確認する（ステップＳ１２）。主電源スイッチ１８がＯＦＦの場合、副制御部２０は、パワーセーブモードに移行する（ステップＳ１３）。この場合は、副制御部２０が主電源２７を完全停止し、各部へは電力が供給されない。なお、副制御部２０、受信部２２、受光部２４には副電源２８から電力は供給される。
【００３２】
音量検出装置３１は、テレビジョン受信機１０の設置部屋の音量を検出しており、その検出量を受信部２２を介して副制御部２０に送っている。
【００３３】
副制御部２０は音量が増加したとき、音量の増加量を算出する（ステップＳ１４）。副制御部２０は、算出した増加量が第３基準値以上か否かを確認し（ステップＳ１５）、第３基準値以上であれば、副制御部２０は、部屋にユーザが戻ってきたと判断して、クイックスタートモードに切り替える（ステップＳ１６）。すなわち、副制御部２０は、主電源２７を制御して、映像処理部１４と表示部１５を除く部分に電力を供給させる。
【００３４】
また、ステップＳ１４における音量の増加量の判定であるが、音量が増加を開始し、その後増加が止まって安定すると、タイマー２１によって安定時間をカウントして所定時間以上（例えば５分）である場合に、増加開始の音量と増加後の安定値との差分を増加値として、第３基準値と比較してもよい。こうして、確実に音量の増加量を算出できて、人の存在を特定できる。
【００３５】
一方、ステップＳ１２の確認で副電源スイッチ２６が押されていた場合、副制御部２０はクイックスタートモードに移行する（ステップＳ１７）。この場合は、副主電源２７が主電源２７を制御して映像処理部１４と表示部１５への電圧供給を停止させ、その他の部分への電圧供給は維持する。
【００３６】
副制御部２０は音量が減少したとき、音量の減少量を算出する（ステップＳ１８）。副制御部２０は、算出した減少量が第４基準値以上か否かを確認し（ステップＳ１９）、第４基準値以上であれば、部屋にユーザがいないと判断して、パワーセーブモードに切り替える（ステップＳ２０）。すなわち、副制御部２０は、主電源２７を制御して、電力供給を停止させる。
【００３７】
また、ステップＳ１８における音量の減少量の判定であるが、音量力が減少を開始し、その後減少が止まって安定すると、タイマー２１によって安定時間をカウントして所定時間以上（例えば５分）である場合に、減少開始の音量と減少後の安定値との差分を減少値として、第４基準値と比較してもよい。こうして、確実に音量の減少量を算出できて、人の不在を特定できる。
【００３８】
こうして、副制御部２０は、部屋の検出音量が少なくなれば、人がいなくなったと判断して自動的にパワーセーブモードで消費電力を抑え、検出音量が増加すれば、人がいるものと判断して自動的にクイックスタートモードで電源ＯＮ時のスタート時間を短縮して操作性を向上させる。
【図面の簡単な説明】
【００３９】
【図１】第１実施形態におけるテレビジョン用電源制御装置を備えたシステムを示すブロック図である。
【図２】第１実施形態におけるモード切換処理の一例を示すフローチャートである。
【図３】第２実施形態におけるテレビジョン用電源制御装置を備えたシステムを示すブロック図である。
【図４】第２実施形態におけるモード切換処理の一例を示すフローチャートである。
【符号の説明】
【００４０】
１０  テレビジョン受信機
１１  アンテナ
１２  チューナ
１３  デコーダ
１４  映像処理部
１５  表示部
１６  音声処理部
１７  スピーカ
１８  主電源スイッチ
１９  主制御部
２０  副制御部
２１  タイマー
２２  受信部
２３  リモコン
２４  受光部
２５  電源
２６  副電源スイッチ
２７  主電源
２８  副電源
２９  電力量検出装置
３１  音量検出装置
【図１】
2008187319.tif 000003
【図２】
2008187319.tif 000004
【図３】
2008187319.tif 000005
【図４】
2008187319.tif 000006